【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
透析処置システムであって、
少なくとも１つの流体導管と、
前記少なくとも１つの流体導管に結合される少なくとも１つの機械的構成要素と、
前記少なくとも１つの機械的構成要素の動作を制御し、患者に関する前記少なくとも１つの流体導管を通した流体の通過を管理するように構成される処置コントローラと
を備え、前記処置コントローラは、
前記患者に関する現在の睡眠状態データを取得するように構成される睡眠状態コンポーネントと、
前記患者に関する前記現在の睡眠状態データに少なくとも基づいて、前記患者に関する将来の深い睡眠状態を計画することと、
透析処置中の前記少なくとも１つの機械的構成要素の騒々しい動作が、前記将来の深い睡眠状態中の時間に起こると予期されるように、前記将来の深い睡眠状態に先行する前記患者の睡眠状態中に前記透析処置を開始することと
を少なくとも行うことによって、少なくとも、前記少なくとも１つの機械的構成要素の前記騒々しい動作を限定するように構成される実行コンポーネントと
を含む、システム。
【請求項２】
前記透析処置システムは、腹膜透析処置システムであり、前記流体は透析液であり、前記処置コントローラは、前記患者の腹膜腔における前記患者に関する透析液の通過を管理するように構成される、請求項１に記載のシステム。
【請求項３】
前記透析処置システムは、血液透析処置システムであり、前記流体は清浄な血液であり、前記処置コントローラは、前記患者への前記清浄な血液または透析器への透析液の送達を管理するように構成される、請求項１に記載のシステム。
【請求項４】
前記睡眠状態コンポーネントは、１つ以上のセンサからの生理学的データを少なくとも受信することによって、前記患者に関する前記現在の睡眠状態データを取得するように構成される、請求項１に記載のシステム。
【請求項５】
前記流体の圧力を監視するように構成される圧力センサをさらに備える、請求項１に記載のシステム。
【請求項６】
前記睡眠状態コンポーネントは、前記圧力センサによって提供される圧力データを分析することに応答して、決定された心拍数または決定された呼吸数のうちの少なくとも１つを決定するように構成される、請求項５に記載のシステム。
【請求項７】
前記睡眠状態コンポーネントは、前記圧力センサによって提供される圧力データの変動を識別することに応答して、前記決定された心拍数または前記決定された呼吸数を決定するように構成される、請求項６に記載のシステム。
【請求項８】
前記睡眠状態コンポーネントは、前記決定された心拍数または前記決定された呼吸数を前記患者の睡眠状態段階に相関させるように構成される、請求項６に記載のシステム。
【請求項９】
前記処置コントローラは、前記少なくとも１つの機械的構成要素の前記騒々しい動作が事前定義された騒音閾値を上回ることに基づいて、前記少なくとも１つの機械的構成要素の前記騒々しい動作に関するタイミングを決定するように一連の前記透析処置を計画するように構成される、請求項１に記載のシステム。
【請求項１０】
前記透析処置システムによって実施される各透析処置動作と関連付けられる予期される騒音レベルを定義するデータベースおよびデータ記録をさらに備える、請求項１に記載のシステム。
【請求項１１】
騒音レベルを検出するためのオーディオセンサをさらに備える、請求項１に記載のシステム。
【請求項１２】
前記処置コントローラは、
前記騒音レベルを監視することと、
前記騒音レベルに応答して、処置実行を管理することと
を行うように構成される、請求項１１に記載のシステム。
【請求項１３】
前記処置コントローラは、データベース内に個別の処置動作と関連付けられる騒音レベルを記憶する、請求項１２に記載のシステム。
【請求項１４】
前記睡眠状態コンポーネントは、前記患者に関する履歴睡眠状態データを記憶するように構成される、請求項１に記載のシステム。
【請求項１５】
前記患者に関する前記将来の深い睡眠状態を計画することは、前記患者に関する前記履歴睡眠状態データを分析することにさらに基づく、請求項１４に記載のシステム。
【請求項１６】
前記実行コンポーネントは、一連の透析処置にわたる複数の処置動作と関連付けられる複数の時間を推定するように構成される、請求項１に記載のシステム。
【請求項１７】
タイミング情報のユーザ入力を受け取るように構成されるタイマコンポーネントをさらに備える、請求項１に記載のシステム。
【請求項１８】
前記実行コンポーネントは、前記ユーザ入力タイミング情報に基づいて、前記透析処置の実行を管理するように構成される、請求項１７に記載のシステム。
【請求項１９】
前記実行コンポーネントは、前記タイミング情報によって規定される任意の要件が満たされるまで、事前定義された騒音閾値を超える前記透析処置中に実施される処置動作を限定するように構成される、請求項１８に記載のシステム。
【請求項２０】
前記ユーザ入力タイミング情報は、前記患者に関する１つ以上の睡眠状態を定義する、請求項１８に記載のシステム。
【請求項２１】
前記タイミング情報によって規定される条件を満たすことに応じて、前記システムは、前記１つ以上の睡眠状態からの睡眠状態を前記患者に割り当てるように構成される、請求項２０に記載のシステム。
【請求項２２】
少なくとも前記患者を直接監視するための１つ以上のセンサをさらに備える、請求項１に記載のシステム。
【請求項２３】
前記１つ以上のセンサは、心拍数センサ、呼吸センサ、温度センサ、ビデオセンサ、熱
撮像センサ、脳波図センサ、運動センサ、オーディオセンサ、加速度計、または容量センサのうちのいずれか１つ以上を含む、請求項２２に記載のシステム。
【請求項２４】
前記処置コントローラに結合される通信デバイスをさらに備え、前記処置コントローラは、前記通信デバイスを介して、前記１つ以上のセンサのうちの少なくとも１つを含む外部デバイスへの通信リンクを確立するように構成される、請求項２３に記載のシステム。
【請求項２５】
前記処置コントローラは、前記通信リンクを介してセンサデータを受信するように構成される、請求項２４に記載のシステム。
【請求項２６】
前記睡眠状態コンポーネントは、前記１つ以上のセンサからのデータを分析し、前記患者の現在の睡眠状態段階を決定するように構成される、請求項２３に記載のシステム。
【請求項２７】
前記睡眠状態コンポーネントは、センサデータを分析することおよび／または何人かの睡眠者に関するユーザ入力を受信することのうちの１つ以上に応答して、前記共同睡眠者を識別するように構成される、請求項２８に記載のシステム。
【請求項２８】
前記睡眠コンポーネントは、前記患者以外の共同睡眠者に関する睡眠状態段階を決定するようにさらに構成される、請求項１に記載のシステム。
【請求項２９】
前記実行コンポーネントは、閾値を超える騒音レベルを有する処置動作が、前記患者および共同睡眠者の両者が同時に深い睡眠状態にある期間中に実行されるように、処置実行を調和させるように構成される、請求項２８に記載のシステム。
【請求項３０】
１つ以上のセンサから受信されるセンサデータを監視するように構成される安全性コンポーネントをさらに備える、請求項１に記載のシステム。
【請求項３１】
前記安全性コンポーネントは、前記１つ以上のセンサからのセンサデータを前記患者の心拍数および／または前記患者の呼吸数のうちの１つ以上に相関させるように構成される、請求項３０に記載のシステム。
【請求項３２】
前記安全性コンポーネントは、前記心拍数および／または前記呼吸数のうちの１つ以上を監視し、安全範囲を決定し、前記安全範囲外の値に応答して、処置を終了する、または警報を発するように構成される、請求項３１に記載のシステム。
【請求項３３】
透析処置のための方法であって、
処置コントローラによって、少なくとも１つの機械的構成要素の動作を制御し、患者が透析を実施するための少なくとも１つの導管を通した流体の通過を管理することと、
前記処置コントローラによって、前記患者に関する睡眠状態を決定することと、
前記処置コントローラによって、前記決定された睡眠状態に応答して、少なくとも、前記少なくとも１つの機械的構成要素の動作を限定することと
を含む、方法。
【請求項３４】
前記少なくとも１つの流体導管および前記少なくとも１つの機械的構成要素は、腹膜透析サブシステムの構成要素であり、前記方法はさらに、処置コントローラによって、少なくとも前記患者の腹膜腔における前記患者に関する透析液の通過を管理することを含む、請求項３３に記載の方法。
【請求項３５】
前記少なくとも１つの流体導管および前記少なくとも１つの機械的構成要素は、血液透析サブシステムの構成要素であり、前記方法はさらに、前記処置コントローラによって、
少なくとも前記患者への清浄な血液または透析器への透析液の送達を管理することを含む、請求項３３に記載の方法。
【請求項３６】
前記患者に関する睡眠状態を決定することは、１つ以上のセンサから生理学的データを受信する行為を含む、請求項３３に記載の方法。
【請求項３７】
前記患者に関する睡眠状態を決定することは、前記流体の圧力を監視することを含む、請求項３３に記載の方法。
【請求項３８】
前記患者の睡眠状態を決定することは、圧力センサによって提供される圧力データを分析することに応答して、心拍数または呼吸数のうちの少なくとも１つを決定することを含む、請求項３７に記載の方法。
【請求項３９】
前記圧力センサによって提供される圧力データの変動を識別することに応答して、前記心拍数または前記呼吸数を決定することをさらに含む、請求項３８に記載の方法。
【請求項４０】
前記決定された心拍数または呼吸数を前記患者に関する睡眠状態に相関させることをさらに含む、請求項３８に記載の方法。
【請求項４１】
一連の処置を計画し、事前定義された騒音閾値を上回る処置動作に関するタイミングを決定することをさらに含む、請求項３３に記載の方法。
【請求項４２】
時間または睡眠状態に従って、前記事前定義された騒音閾値を超える任意の処置動作の実行を限定することをさらに含む、請求項３３に記載の方法。
【請求項４３】
透析処置システムによって実施される各透析処置動作と関連付けられる予期される騒音レベルを定義する１つ以上のデータ記録を記憶することをさらに含む、請求項４２に記載の方法。
【請求項４４】
オーディオセンサによってリアルタイム騒音レベルを監視することをさらに含む、請求項４２に記載の方法。
【請求項４５】
前記リアルタイム騒音レベルに応答して、処置実行を管理することをさらに含む、請求項４４に記載の方法。
【請求項４６】
前記データベース内に個別の処置動作と関連付けられるリアルタイム騒音レベルを記憶することをさらに含む、請求項４５に記載の方法。
【請求項４７】
前記患者に関する経時的な睡眠状態データを記憶することをさらに含む、請求項３３に記載の方法。
【請求項４８】
前記記憶された睡眠状態データを分析することに応答して、前記患者に関する予期される睡眠状態を計画することをさらに含む、請求項４７に記載の方法。
【請求項４９】
睡眠状態コンポーネントから予期される睡眠状態情報を受信することに応答して、前記少なくとも１つの機械的構成要素の動作を含む処置実行を管理することをさらに含む、請求項４７に記載の方法。
【請求項５０】
最も騒々しい動作が、前記患者に関する深い睡眠状態と一致するように計画された期間中に実行されるように、前記処置実行をスケジューリングすることをさらに含む、請求項４９に記載の方法。
【請求項５１】
前記一連の透析処置にわたる複数の処置動作と関連付けられる複数の時間を推定することをさらに含む、請求項５０に記載の方法。
【請求項５２】
タイミング情報のユーザ入力を受け取ることをさらに含む、請求項３３に記載の方法。
【請求項５３】
前記ユーザ入力タイミング情報に基づいて、透析処置の実行を管理することをさらに含む、請求項５２に記載の方法。
【請求項５４】
前記タイミング情報によって規定される任意の要件が満たされるまで、事前定義された騒音閾値を超える透析処置中に実施される処置動作を限定することをさらに含む、請求項５３に記載の方法。
【請求項５５】
前記ユーザ入力タイミング情報は、前記患者に関する睡眠状態を定義する、請求項５３に記載の方法。
【請求項５６】
前記タイミング情報によって規定される条件の満足を決定し、睡眠状態を前記患者に割り当てることをさらに含む、請求項５５に記載の方法。
【請求項５７】
少なくとも前記患者を直接監視するための１つ以上のセンサと通信することをさらに含む、請求項３３に記載の方法。
【請求項５８】
前記１つ以上のセンサは、心拍数センサ、呼吸センサ、温度センサ、ビデオセンサ、熱撮像センサ、脳波図センサ、運動センサ、オーディオセンサ、加速度計、または容量センサのうちのいずれか１つ以上を含む、請求項５７に記載の方法。
【請求項５９】
前記１つ以上のセンサのうちのいずれか１つ以上を含むモバイルデバイスへの通信リンクを確立することをさらに含む、請求項５８に記載の方法。
【請求項６０】
前記モバイルデバイスを通してセンサデータを要求または受信することをさらに含む、請求項５９に記載の方法。
【請求項６１】
前記１つ以上のセンサからのデータを分析し、前記患者の睡眠状態を決定することをさらに含む、請求項５８に記載の方法。
【請求項６２】
センサデータを分析することまたは何人かの睡眠者に関するユーザ入力の受信に応答して、１人以上の共同睡眠者を識別することをさらに含む、請求項５８に記載の方法。
【請求項６３】
共同睡眠者に関する睡眠状態を決定することをさらに含む、請求項６２に記載の方法。
【請求項６４】
閾値を超える騒音レベルを有する処置動作が、前記患者および共同睡眠者が深い睡眠状態にある期間中に実行されるように、処置実行を調和させることをさらに含む、請求項６３に記載の方法。
【請求項６５】
安全性パラメータに関して１つ以上のセンサから受信されるセンサデータを監視することをさらに含む、請求項３３に記載の方法。
【請求項６６】
圧力データを心拍数または呼吸数に相関させることをさらに含む、請求項６５に記載の方法。
【請求項６７】
心拍数または呼吸数を監視し、安全範囲を決定し、前記安全範囲外の値に応答して、処置を終了する、または１つ以上のアラームを生成することをさらに含む、請求項６６に記載の方法。
【請求項６８】
前記処置コントローラはさらに、検出された騒音レベルを前記データベース内に記憶された騒音レベルと比較し、前記比較に基づいて、前記少なくとも１つの機械的構成要素における故障を検出するように構成される、請求項１３に記載のシステム。
【請求項６９】
前記実行コンポーネントは、
（ａ）前記患者に関連付けられた履歴睡眠データに少なくとも基づいて、特定の騒音レベルを上回る騒音が前記患者の睡眠を妨害することを決定することと、
（ｂ）前記少なくとも１つの機械的構成要素の前記騒々しい動作が、前記特定の騒音レベルを超えることを決定することと、
（ａ）および（ｂ）に少なくとも基づいて、前記透析処置中の前記少なくとも１つの機械的構成要素の前記騒々しい動作が、前記将来の深い睡眠状態中の時間に起こると予期されるように、前記透析処置を開始するための時間を決定することと
を少なくとも行うことによって、前記少なくとも１つの機械的構成要素の前記動作を限定するようにさらに構成される、請求項１に記載のシステム。
【請求項７０】
前記実行コンポーネントは、
（ａ）以前の透析処置中に騒音センサによって収集されたデータに少なくとも基づいて、前記少なくとも１つの機械的構成要素に関連付けられた実際の騒音レベルを決定することと、
（ｂ）前記実際の騒音レベルがしきい値騒音レベルを超えることを決定することと、
（ａ）および（ｂ）に少なくとも基づいて、前記透析処置中の前記少なくとも１つの機械的構成要素の前記騒々しい動作が、前記将来の深い睡眠状態中の時間に起こると予期されるように、前記透析処置を開始するための時間を決定することと
を少なくとも行うことによって、前記少なくとも１つの機械的構成要素の前記動作を限定するようにさらに構成される、請求項１に記載のシステム。
【請求項７１】
前記少なくとも１つの機械的構成要素の前記騒々しい動作は、前記透析処置中に前記少なくとも１つの機械的構成要素によって実施される複数の動作の中で最も騒々しい動作である、請求項１に記載のシステム。
【請求項７２】
前記透析処置中、前記少なくとも１つの機械的構成要素は、前記将来の深い睡眠状態以外の前記患者に関する少なくとも１つの睡眠状態と一致する少なくとも１つの動作も実施する、請求項１に記載のシステム。
【請求項７３】
処置コントローラの睡眠状態コンポーネントが、患者に関する現在の睡眠状態データを取得することと、前記処置コントローラは、前記患者に関する少なくとも１つの流体導管を通した流体の通過を管理するように少なくとも１つの機械的構成要素の動作を制御するように構成され、
前記処置コントローラの実行コンポーネントが、
前記患者に関する前記現在の睡眠状態データに少なくとも基づいて、前記患者に関する将来の深い睡眠状態を計画することと、
透析処置中の前記少なくとも１つの機械的構成要素の騒々しい動作が、前記将来の深い睡眠状態中の時間に起こると予期されるように、前記将来の深い睡眠状態に先行する前記患者の睡眠状態中に前記透析処置を開始することと
を少なくとも行うことによって、少なくとも、前記少なくとも１つの機械的構成要素の前記騒々しい動作を限定することと
を備える、方法。
【請求項７４】
命令を記憶する１つ以上の非一時的コンピュータ可読媒体であって、前記命令は、１つ以上のプロセッサによって実行されると、
処置コントローラの睡眠状態コンポーネントが、患者に関する現在の睡眠状態データを取得することと、前記処置コントローラは、前記患者に関する少なくとも１つの流体導管を通した流体の通過を管理するように少なくとも１つの機械的構成要素の動作を制御するように構成され、
前記処置コントローラの実行コンポーネントが、
前記患者に関する前記現在の睡眠状態データに少なくとも基づいて、前記患者に関する将来の深い睡眠状態を計画することと、
透析処置中の前記少なくとも１つの機械的構成要素の騒々しい動作が、前記将来の深い睡眠状態中の時間に起こると予期されるように、前記将来の深い睡眠状態に先行する前記患者の睡眠状態中に前記透析処置を開始することと
を少なくとも行うことによって、少なくとも、前記少なくとも１つの機械的構成要素の前記騒々しい動作を限定することと
を行わせる、非一時的コンピュータ可読媒体。
【手続補正２】
【補正対象書類名】明細書
【補正対象項目名】００６０
【補正方法】変更
【補正の内容】
【００６０】
少なくとも一実施例のいくつかの側面をこのように説明したが、種々の改変、修正、および改良が、当業者に容易に想起されるであろうことを理解されたい。例えば、本明細書に開示される実施例はまた、他の文脈において使用され得る。そのような改変、修正、および改良は、本開示の一部であることが意図され、本明細書に議論される実施例の範囲内であることが意図される。故に、前述の説明および図面は、実施例にすぎない。
以下に、本願の出願当初の特許請求の範囲に記載された発明を付記する。
［Ｃ１］
透析処置システムであって、
少なくとも１つの流体導管と、
前記少なくとも１つの流体導管に結合される少なくとも１つの機械的構成要素と、
前記少なくとも１つの機械的構成要素の動作を制御し、患者に関する前記少なくとも１つの導管を通した流体の通過を管理するように構成される処置コントローラであって、前記処置コントローラは、
前記患者に関する睡眠状態を決定するように構成される睡眠状態コンポーネントと、
前記決定された睡眠状態に応答して、少なくとも、前記少なくとも１つの機械的構成要素の動作を限定するように構成される実行コンポーネントと
を含む、処置コントローラと
を備える、システム。
［Ｃ２］
前記透析処置システムは、腹膜透析処置システムであり、前記処置コントローラは、前記患者の腹膜腔における前記患者に関する透析液の通過を管理するように構成される、Ｃ１に記載のシステム。
［Ｃ３］
前記透析処置システムは、血液透析処置システムであり、前記処置コントローラは、前記患者への清浄な血液または透析器への透析液の送達を管理するように構成される、Ｃ１に記載のシステム。
［Ｃ４］
前記睡眠状態コンポーネントは、１つ以上のセンサからの生理学的データを受信することに応答して、前記患者に関する睡眠状態を決定するように構成される、Ｃ１に記載のシステム。
［Ｃ５］
前記流体の圧力を監視するように構成される圧力センサをさらに備える、Ｃ１に記載のシステム。
［Ｃ６］
前記睡眠状態コンポーネントは、前記圧力センサによって提供される圧力データを分析することに応答して、心拍数または呼吸数のうちの少なくとも１つを決定するように構成される、Ｃ５に記載のシステム。
［Ｃ７］
前記睡眠状態コンポーネントは、前記圧力センサによって提供される圧力データの変動を識別することに応答して、前記心拍数または前記呼吸数を決定するように構成される、Ｃ６に記載のシステム。
［Ｃ８］
前記睡眠状態コンポーネントは、前記決定された心拍数または呼吸数を前記患者の睡眠状態に相関させるように構成される、Ｃ６に記載のシステム。
［Ｃ９］
前記処置コントローラは、一連の処置を計画し、事前定義された騒音閾値を上回る処置動作に関するタイミングを決定するように構成される、Ｃ１に記載のシステム。
［Ｃ１０］
前記処置コントローラは、時間または睡眠状態に従って、前記事前定義された騒音閾値を超える任意の処置動作の実行を限定するように構成される、Ｃ１に記載のシステム。
［Ｃ１１］
前記透析処置システムによって実施される各透析処置動作と関連付けられる予期される騒音レベルを定義するデータベースおよびデータ記録をさらに備える、Ｃ１０に記載のシステム。
［Ｃ１２］
騒音レベルを検出するためのオーディオセンサをさらに備える、Ｃ１０に記載のシステム。
［Ｃ１３］
前記処置コントローラは、
前記騒音レベルを監視することと、
前記騒音レベルに応答して、処置実行を管理することと
を行うように構成される、Ｃ１２に記載のシステム。
［Ｃ１４］
前記処置コントローラは、前記データベース内に個別の処置動作と関連付けられる騒音レベルを記憶する、Ｃ１３に記載のシステム。
［Ｃ１５］
前記睡眠状態コンポーネントは、前記患者に関する経時的な睡眠状態データを記憶するように構成される、Ｃ１に記載のシステム。
［Ｃ１６］
前記睡眠状態コンポーネントは、前記記憶された睡眠状態データを分析することに応答して、前記患者に関する予期される睡眠状態を計画するように構成される、Ｃ１５に記載のシステム。
［Ｃ１７］
前記実行コンポーネントは、前記睡眠状態コンポーネントから予期される睡眠状態情報を受信することに応答して、前記少なくとも１つの機械的構成要素の動作を含む処置実行を管理するように構成される、Ｃ１５に記載のシステム。
［Ｃ１８］
前記実行コンポーネントは、最も騒々しい処置動作が、前記患者に関する深い睡眠状態と一致するように計画された期間中に実行されるように、前記処置実行をスケジューリングするように構成される、Ｃ１７に記載のシステム。
［Ｃ１９］
前記実行コンポーネントは、前記一連の透析処置にわたる複数の処置動作と関連付けられる複数の時間を推定するように構成される、Ｃ１８に記載のシステム。
［Ｃ２０］
タイミング情報のユーザ入力を受け取るように構成されるタイマコンポーネントをさらに備える、Ｃ１に記載のシステム。
［Ｃ２１］
前記実行コンポーネントは、前記ユーザ入力タイミング情報に基づいて、透析処置の実行を管理するように構成される、Ｃ２０に記載のシステム。
［Ｃ２２］
前記実行コンポーネントは、前記タイミング情報によって規定される任意の要件が満たされるまで、事前定義された騒音閾値を超える透析処置中に実施される処置動作を限定するように構成される、Ｃ２１に記載のシステム。
［Ｃ２３］
前記ユーザ入力タイミング情報は、前記患者に関する睡眠状態を定義する、Ｃ２１に記載のシステム。
［Ｃ２４］
前記タイミング情報によって規定される条件を満たすことに応じて、前記システムは、睡眠状態を前記患者に割り当てるように構成される、Ｃ２３に記載のシステム。
［Ｃ２５］
少なくとも前記患者を直接監視するための１つ以上のセンサをさらに備える、Ｃ１に記載のシステム。
［Ｃ２６］
前記１つ以上のセンサは、心拍数センサ、呼吸センサ、温度センサ、ビデオセンサ、熱
撮像センサ、脳波図センサ、運動センサ、オーディオセンサ、加速度計、または容量センサのうちのいずれか１つ以上を含む、Ｃ２５に記載のシステム。
［Ｃ２７］
前記処置コントローラに結合される通信デバイスをさらに備え、前記処置コントローラは、前記通信デバイスを介して、前記１つ以上のセンサのうちの少なくとも１つを含む外部デバイスへの通信リンクを確立するように構成される、Ｃ２６に記載のシステム。
［Ｃ２８］
前記処置コントローラは、前記通信リンクを介してセンサデータを受信するように構成される、Ｃ２７に記載のシステム。
［Ｃ２９］
前記睡眠状態コンポーネントは、前記１つ以上のセンサからのデータを分析し、前記患者の睡眠状態を決定するように構成される、Ｃ２６に記載のシステム。
［Ｃ３０］
前記睡眠状態コンポーネントは、センサデータを分析することまたは何人かの睡眠者に関するユーザ入力の受信に応答して、共同睡眠者を識別するように構成される、Ｃ２６に記載のシステム。
［Ｃ３１］
前記睡眠コンポーネントは、共同睡眠者に関する睡眠状態を決定するように構成される、Ｃ３０に記載のシステム。
［Ｃ３２］
前記実行コンポーネントは、閾値を超える騒音レベルを有する処置動作が、前記患者および共同睡眠者が深い睡眠状態にある期間中に実行されるように、処置実行を調和させるように構成される、Ｃ３１に記載のシステム。
［Ｃ３３］
１つ以上のセンサから受信されるセンサデータを監視するように構成される安全性コンポーネントをさらに備える、Ｃ１に記載のシステム。
［Ｃ３４］
前記安全性コンポーネントは、前記１つ以上のセンサからのセンサデータを前記患者の心拍数または前記患者の呼吸数に相関させるように構成される、Ｃ３３に記載のシステム。
［Ｃ３５］
前記安全性コンポーネントは、心拍数または呼吸数を監視し、安全範囲を決定し、前記安全範囲外の値に応答して、処置を終了する、または警報を発するように構成される、Ｃ３４に記載のシステム。
［Ｃ３６］
透析処置のための方法であって、
処置コントローラによって、少なくとも１つの機械的構成要素の動作を制御し、患者が透析を実施するための少なくとも１つの導管を通した流体の通過を管理することと、
前記処置コントローラによって、前記患者に関する睡眠状態を決定することと、
前記処置コントローラによって、前記決定された睡眠状態に応答して、少なくとも、前記少なくとも１つの機械的構成要素の動作を限定することと
を含む、方法。
［Ｃ３７］
前記少なくとも１つの流体導管および前記少なくとも１つの機械的構成要素は、腹膜透析サブシステムの構成要素であり、前記方法はさらに、処置コントローラによって、少なくとも前記患者の腹膜腔における前記患者に関する透析液の通過を管理することを含む、Ｃ３６に記載の方法。
［Ｃ３８］
前記少なくとも１つの流体導管および前記少なくとも１つの機械的構成要素は、血液透析サブシステムの構成要素であり、前記方法はさらに、前記処置コントローラによって、
少なくとも前記患者への清浄な血液または透析器への透析液の送達を管理することを含む、Ｃ３６に記載の方法。
［Ｃ３９］
前記患者に関する睡眠状態を決定することは、１つ以上のセンサから生理学的データを受信する行為を含む、Ｃ３６に記載の方法。
［Ｃ４０］
前記患者に関する睡眠状態を決定することは、前記流体の圧力を監視することを含む、Ｃ３６に記載の方法。
［Ｃ４１］
前記患者の睡眠状態を決定することは、圧力センサによって提供される圧力データを分析することに応答して、心拍数または呼吸数のうちの少なくとも１つを決定することを含む、Ｃ４０に記載の方法。
［Ｃ４２］
前記圧力センサによって提供される圧力データの変動を識別することに応答して、前記心拍数または前記呼吸数を決定することをさらに含む、Ｃ４１に記載の方法。
［Ｃ４３］
前記決定された心拍数または呼吸数を前記患者に関する睡眠状態に相関させることをさらに含む、Ｃ４１に記載の方法。
［Ｃ４４］
一連の処置を計画し、事前定義された騒音閾値を上回る処置動作に関するタイミングを決定することをさらに含む、Ｃ３６に記載の方法。
［Ｃ４５］
時間または睡眠状態に従って、前記事前定義された騒音閾値を超える任意の処置動作の実行を限定することをさらに含む、Ｃ３６に記載の方法。
［Ｃ４６］
透析処置システムによって実施される各透析処置動作と関連付けられる予期される騒音レベルを定義する１つ以上のデータ記録を記憶することをさらに含む、Ｃ４５に記載の方法。
［Ｃ４７］
オーディオセンサによってリアルタイム騒音レベルを監視することをさらに含む、Ｃ４５に記載の方法。
［Ｃ４８］
前記リアルタイム騒音レベルに応答して、処置実行を管理することをさらに含む、Ｃ４７に記載の方法。
［Ｃ４９］
前記データベース内に個別の処置動作と関連付けられるリアルタイム騒音レベルを記憶することをさらに含む、Ｃ４８に記載の方法。
［Ｃ５０］
前記患者に関する経時的な睡眠状態データを記憶することをさらに含む、Ｃ３６に記載の方法。
［Ｃ５１］
前記記憶された睡眠状態データを分析することに応答して、前記患者に関する予期される睡眠状態を計画することをさらに含む、Ｃ５０に記載の方法。
［Ｃ５２］
睡眠状態コンポーネントから予期される睡眠状態情報を受信することに応答して、前記少なくとも１つの機械的構成要素の動作を含む処置実行を管理することをさらに含む、Ｃ５０に記載の方法。
［Ｃ５３］
最も騒々しい動作が、前記患者に関する深い睡眠状態と一致するように計画された期間中に実行されるように、前記処置実行をスケジューリングすることをさらに含む、Ｃ
５２に記載の方法。
［Ｃ５４］
前記一連の透析処置にわたる複数の処置動作と関連付けられる複数の時間を推定することをさらに含む、Ｃ５３に記載の方法。
［Ｃ５５］
タイミング情報のユーザ入力を受け取ることをさらに含む、Ｃ３６に記載の方法。
［Ｃ５６］
前記ユーザ入力タイミング情報に基づいて、透析処置の実行を管理することをさらに含む、Ｃ５５に記載の方法。
［Ｃ５７］
前記タイミング情報によって規定される任意の要件が満たされるまで、事前定義された騒音閾値を超える透析処置中に実施される処置動作を限定することをさらに含む、Ｃ５６に記載の方法。
［Ｃ５８］
前記ユーザ入力タイミング情報は、前記患者に関する睡眠状態を定義する、Ｃ５６に記載の方法。
［Ｃ５９］
前記タイミング情報によって規定される条件の満足を決定し、睡眠状態を前記患者に割り当てることをさらに含む、Ｃ５８に記載の方法。
［Ｃ６０］
少なくとも前記患者を直接監視するための１つ以上のセンサと通信することをさらに含む、Ｃ３６に記載の方法。
［Ｃ６１］
前記１つ以上のセンサは、心拍数センサ、呼吸センサ、温度センサ、ビデオセンサ、熱撮像センサ、脳波図センサ、運動センサ、オーディオセンサ、加速度計、または容量センサのうちのいずれか１つ以上を含む、Ｃ６０に記載の方法。
［Ｃ６２］
前記１つ以上のセンサのうちのいずれか１つ以上を含むモバイルデバイスへの通信リンクを確立することをさらに含む、Ｃ６１に記載の方法。
［Ｃ６３］
前記モバイルデバイスを通してセンサデータを要求または受信することをさらに含む、Ｃ６２に記載の方法。
［Ｃ６４］
前記１つ以上のセンサからのデータを分析し、前記患者の睡眠状態を決定することをさらに含む、Ｃ６１に記載の方法。
［Ｃ６５］
センサデータを分析することまたは何人かの睡眠者に関するユーザ入力の受信に応答して、１人以上の共同睡眠者を識別することをさらに含む、Ｃ６１に記載の方法。
［Ｃ６６］
共同睡眠者に関する睡眠状態を決定することをさらに含む、Ｃ６５に記載の方法。
［Ｃ６７］
閾値を超える騒音レベルを有する処置動作が、前記患者および共同睡眠者が深い睡眠状態にある期間中に実行されるように、処置実行を調和させることをさらに含む、Ｃ６６に記載の方法。
［Ｃ６８］
安全性パラメータに関して１つ以上のセンサから受信されるセンサデータを監視することをさらに含む、Ｃ３６に記載の方法。
［Ｃ６９］
圧力データを心拍数または呼吸数に相関させることをさらに含む、Ｃ６８に記載の方法。
［Ｃ７０］
心拍数または呼吸数を監視し、安全範囲を決定し、前記安全範囲外の値に応答して、処置を終了する、または１つ以上のアラームを生成することをさらに含む、Ｃ６９に記載の方法。
［Ｃ７１］
前記処置コントローラはさらに、検出された騒音レベルを前記データベース内に記憶された騒音レベルと比較し、前記比較に基づいて、前記少なくとも１つの機械的構成要素における故障を検出するように構成される、Ｃ１４に記載のシステム。